(57)【特許請求の範囲】
【請求項１】
観賞魚用水槽が載置される水槽台において、
電源に接続されるコンセントが設けられるとともに、水槽台の通常使用状態では導通状態にあり、水槽台が転倒した場合に非導通状態となって電源と前記コンセントの通電を遮断するスイッチが設けられ、該スイッチは床面に向けて突出方向に付勢されたロッドボタンを有し、ロッドボタンの突出時に非通電状態となり、退入時に通電状態となるプッシュ型のものであることを特徴とする給電遮断装置付き観賞魚用水槽台。
【発明の詳細な説明】
【０００１】
【発明の属する技術分野】
この発明は観賞魚用水槽を載置する水槽台に関し、特に水槽用電装品に対する給電用のコンセントを有し、地震等によって該電装品への給電を遮断することのできる給電遮断装置が付加された観賞魚用水槽台に関する。
【０００２】
【従来の技術】
一般に、観賞魚用の水槽は水槽台に載置された状態でセットされることが多い。  一方、観賞魚用の水槽には、熱帯魚等を飼育するために、ヒーター、ポンプ、蛍光灯、クーラー、オゾン発生器などの各種電装品が付帯している。
【０００３】
従来、これら電装品には室内壁面のコンセントからテーブルタップ等を介して水槽台とは無関係な状態で電力が供給されていた。
【０００４】
【発明が解決しようとする課題】
ところが、テーブルタップ等を介して各電装品に給電されている場合、地震などによって水槽台が倒れあるいは移動して水槽から水が流出した場合でも、各電装品に電力が供給され続けるため、例えばポンプ用のモーターやヒーターが過熱して火災が発生する等、安全を確保することができない恐れがあった。
【０００５】
また、各電装品からテーブルタップ等までのコードの配線が乱雑になり、観賞用の水槽であるにもかかわらず美観を損なうものであった。
【０００６】
この発明は上記の問題に鑑みてなされたものであり、地震等で水槽台が倒れたり移動したような場合に、該水槽台に載置されている水槽に付帯するヒーター等の電装品への電力の供給を遮断することができ、しかも、各電装品からの配線をまとまり良く接続できる給電遮断装置付き観賞魚用水槽台の提供を目的とする。
【０００７】
【課題を解決するための手段】
上記の目的を達成するために、この発明に係る給電遮断装置付き観賞魚用水槽台は、観賞魚用水槽が載置される水槽台において、電源に接続されるコンセントが設けられるとともに、水槽台の通常使用状態では導通状態にあり、水槽台が転倒した場合に非導通状態となって電源と前記コンセントの通電を遮断するスイッチが設けられ、該スイッチは床面に向けて突出方向に付勢されたロッドボタンを有し、ロッドボタンの突出時に非通電状態となり、退入時に通電状態となるプッシュ型のものであることを要旨とするものである。
【０００８】
上記の構成によれば、地震等で水槽台が転倒した場合、プッシュ型スイッチのロッドボタンの突出によって電源とコンセントの通電が遮断されるため各電装品への給電が遮断され、ヒーター等が過熱することがないため、高い安全性を確保することができる。また、水槽に付帯する電装品のコードを水槽台に設けられたコンセントに接続することにより電装品に電力が供給されるため、コードの配線が乱雑にならず美観を損ねることがない。
【０００９】
【発明の実施の形態】
次に、この発明に係る給電遮断装置付き観賞魚用水槽台を図面を参照しつつ実施の形態に基づいて説明する。
【００１０】
図１〜３は請求項１に係る発明の一実施形態を示すものである。これらの図において（１）は水槽台であり該水槽台（１）は、間隔をおいて水平状に配置された長方形状の上下棚板（２ａ）（２ｂ）と、これら棚板の四隅に立設状態に配置された断面矩形の角パイプよりなる４本の支脚（３）を備え、これら上下棚板（２ａ）（２ｂ）と支脚（３）とが補強板（４）を介してボルトナットで締結されることにより組み立てられたスチール製のものである。
【００１１】
前記補強板（４）は、平面視Ｌ字状の短尺アングル部材からなり、組み立て後の水槽台（１）のねじれやぐらつきを抑止し得るように、棚板（２）と支脚（３）との接合部分に介在配置され各接合を補強すると共に、その一部を棚板（２）の上方に突出させることにより、棚板（２）に載置された水槽（Ａ）が補強板（４）の突出部分に係止され、地震等の振動を受けたとき水槽（Ａ）が水槽台（１）から容易に滑り落ちないようになされている。
【００１２】
前記棚板（２ａ）（２ｂ）の後部側面には、コンセント（５）（５）が設けられている。これらのコンセント（５）（５）は、電源プラグを接続できる挿入口がそれぞれ２口設けられたものであり、該挿入口が棚板の外面と面一となるように、上下棚板（２ａ）（２ｂ）のコーナー部内側にそれぞれ収容状態で取り付けられている。これらのコンセント（５）（５）は、いずれも電源コード（７）に接続されており、該コード（７）の他端には電源プラグ（８）が接続されている。
【００１３】
また、後部支脚（３）（３）の一方にはその内側面に給電遮断用のスイッチ（６）が取り付けられている。このスイッチ（６）は、突出方向に付勢されたロッドボタン（６ａ）を有するプッシュ型のものであり、ロッドボタン（６ａ）が退入方向に押し込まれると導通状態となり、突出状態に弾力復帰すると非導通状態となるものである。そして、図３に示すように、ロッドボタン（６ａ）の突出状態でロッドボタン（６ａ）の先端が支脚（３）の下端から下方に突出し、退入状態でロッドボタン（６ａ）の先端が支脚（３）の下端と面一になるように、支脚（３）の下部内側に取り付けられている。従って、水槽台（１）が床面（Ｆ）に載置された状態でスイッチ（６）はロッドボタン（６ａ）が押し込まれて導通状態にセットされ、水槽台（１）が倒れると、ロッドボタン（６ａ）が突出して非導通状態に切り替われるものとなされている。しかも、スイッチ（６）は、電気的に電源からコンセントへ至る回路中に介挿されており、水槽台（１）の起倒により切り替わるスイッチ（６）の導通、非導通に応じて、電源コンセントの通電が接続または、遮断されるものとなされている。
【００１４】
上記構成の給電遮断装置付き観賞魚用水槽台は、通常の使用状態では、床面（Ｆ）に水槽台（１）が載置されることによってスイッチ（６）のロッドボタン（６ａ）が押し込まれた状態になり、スイッチ（６）は導通状態となっている。この状態で水槽台（１）の棚板（２ａ）（２ｂ）に載置した水槽（Ａ）に付帯する電装品（２０）の電源プラグを棚板のコンセント（５）に差し込むと共に、コンセント（５）に接続された電源プラグ（８）を室内壁面のコンセント等に差し込む。スイッチ（６）は導通状態となっているから、電源とコンセント（５）（５）が導通状態となり、各電装品に電力が供給される。
【００１５】
地震等で水槽台（１）が転倒した場合は、前記スイッチ（６）が床面（Ｆ）から離れるため、ロッドボタン（６ａ）が突出状態に復帰し、スイッチ（６）は非導通状態となる。従って電源からコンセントへの通電が遮断され、電装品（２０）への電力の供給が遮断される。したがって水槽（Ａ）に付帯する電装品（２０）、特にモーターやヒーターが停止するため、電装品（２０）が加熱することなく、安全性を確保することができる。
【００１６】
もとより、電装品（２０）の電源プラグは水槽台（１）の棚板（２ａ）（２ｂ）のコンセント（５）に接続されているから、電装品（２０）のコードを見栄え良く短くまとめることができ、コードが乱雑となって美観を損なうことはない。
【００１７】
図４、５は、図１に示すコンセント（５）、スイッチ（６）、電源コード（７）等の給電遮断機構を木製の水槽台（１）に適用した実施の形態である。
【００１８】
該木製の水槽台（１）は、図４に示すように、矩形の木製板である３枚の脚板（１１）を断面Ｈ字型に組み付け、該脚板（１１）の上下両端面に水槽載置用の天板（１２）と底板（１３）を設けたものである。
【００１９】
前記コンセント（５）は、水槽台（１）の裏側に設けられると共に、電源プラグ（８）からコンセント（５）に至る回路中に電気的に介挿された状態で脚板（１１）の下部に給電遮断用のスイッチ（６）が設けられている。
【００２０】
該スイッチ（６）は、ロッドボタン（６ａ）が底板（１３）に設けられた孔（１３ａ）を貫通し底板（１３）を越えて下方に突出すると共に、水槽台（１）が床面（Ｆ）に載置された際に退入方向に押し込まれる態様となるよう、脚板（１１）の下部にねじ止めされている。また、スイッチ（６）は前記と同様に下方突出方向に付勢されて非導通状態となり、押し込まれることにより導通状態となるものである。
【００２１】
上記の構成によりこの実施の形態に係る水槽台（１）もまた、床面（Ｆ）に載置された状態ではスイッチ（６）が導通状態となって電源とコンセント（５）とが通電され、地震等で水槽台（１）が転倒すると床面からスイッチ（６）のロッドボタン（６ａ）が離れるため非導通状態に切り替わって、電源とコンセント（５）の通電が遮断されるものとなされている。
【００２２】
なお、この発明は上記の実施の形態に限定されるわけではない。例えば、水槽台（１）に関しては、任意の形態を選択し得る。
【００２３】
【発明の効果】
請求項１に係る発明は、水槽台にコンセントが設けられており、水槽台が転倒した場合にロッドボタンが突出して非導通状態となって電源と前記コンセントの通電を遮断するプッシュ型スイッチが設けられているため、地震等で水槽台が転倒した場合は、該コンセントに接続された各電装品への給電が遮断され、ヒーター等が過熱することがなく、高い安全性を確保することができる。また、水槽に付帯する電装品のコードを水槽台に設けられたコンセントに接続するため、配線が乱雑にならず美観を損ねることがない。
【図面の簡単な説明】
【図１】  この発明の一実施形態に係る水槽台の後部側を一部拡大して示した斜視図である。
【図２】  図１の水槽台の使用状態を後部側から示す斜視図である。
【図３】  図１の水槽台においてスイッチが取り付けられた支脚の下部を拡大して示す側面図である。
【図４】  この発明のさらに他の実施形態に係る水槽台の後部側を一部切り欠いて示した斜視図である。
【図５】  図４におけるＶ−Ｖ線断面の一部を拡大して示す断面図である。
【符号の説明】
１…水槽台
５…コンセント
６…スイッチ
７…電源コード
【図１】
0003652747.tif 000002
【図２】
0003652747.tif 000003
【図３】
0003652747.tif 000004
【図４】
0003652747.tif 000005
【図５】
0003652747.tif 000006